(57)【特許請求の範囲】
【請求項１】
エレベーターの昇降路内に設けられた支持梁と、この支持梁の下側に配置されて上記エレベーターの主索が巻掛けられる滑車と、下端に上記滑車が係止されて上端側は上記支持梁側面と対面して配置された支持板と、この支持板の上端の上記支持梁側面との対向面に突設された掛止片と、上記支持梁側面に接続して上向きに形成されて上記掛止片の下面に対向して配置された掛止面とを備え、上記滑車に作用する上下方向荷重を上記支持板、掛止片及び掛止面を介して上記支持梁によって支持するエレベーターの主索吊設装置。
【請求項２】
エレベーターの昇降路内に設けられた支持梁と、この支持梁の下側に配置されて上記エレベーターの主索が巻掛けられる滑車と、下端に上記滑車が係止されて上端部は一側の上記支持梁側面と対面して配置され、かつ上端部に上記支持梁側面と対面して配置された第一の掛止片が固定された第一の支持板と、上端が他側の上記支持梁側面に固定されて下端部は上記支持梁の下面より下方に配置された下垂側板と、下端に上記滑車が係止されて上端部は上記下垂側板の上記支持梁側面との対向面と対面して配置され、かつ上端部に上記下垂側板面と対面して配置された第二の掛止片が固定された第二の支持板と、上記一側の上記支持梁側面に接続して上向きに形成されて上記第一の掛止片の下面と対向して配置された第一の掛止面と、上記他側の支持梁側面に接続する上記下垂側板面に接続して上向きに形成されて上記第二の掛止片の下面と対向して配置された第二の掛止面とを備え、上記滑車に作用する上下方向荷重を上記第一の支持板、第二の支持板、第一の掛止片、第二の掛止片、第一の掛止面及び第二の掛止面を介して上記支持梁によって支持するエレベーターの主索吊設装置。
【請求項３】
第一の掛止片の下面を支持梁の長手の一端から他端へ上昇する斜面によって形成し、第一の掛止面を上記第一の掛止片の斜面に対応して形成すると共に、第二の掛止片の下面を上記支持梁の長手の一端から他端へ下降する斜面によって形成し、第二の掛止面を上記第二の掛止片の斜面に対応して形成したことを特徴とする請求項２記載のエレベーターの主索吊設装置。
【請求項４】
第一の掛止面を形成し長手が第一の支持板幅端部から突出して突出部を形成した第一の突設片と、第二の掛止面を形成し長手が第二の支持板幅端部から突出して突出部を形成した第二の突設片とを備え、第一の掛止片を、長手が第一の支持板幅端部から突出して突出部を形成したものとし、第二の掛止片を、長手が第二の支持板幅端部から突出して突出部を形成したものとしたことを特徴とする請求項２及び請求項３のいずれか一つに記載のエレベーターの主索吊設装置。
【発明の詳細な説明】
【０００１】
【発明の属する技術分野】
この発明は、昇降路を昇降する昇降体を吊持した主索を、滑車を介して吊設するエレベーターの主索吊設装置に関する。
【０００２】
【従来の技術】
図１１及び図１２は、例えば実開平５−３７８５４号公報に示された構成に類似した従来のエレベーターの主索吊設装置を示す図で、図１１はエレベーターを概念的に示す立面図、図１２は図１１のＡ−Ａ線断面拡大図である。図において、１はエレベーターの昇降路、２は昇降路１内に立設された支柱からなる固定体、３は固定体２の相互間に設けられて長手が昇降路１の上端寄りに水平に配置された支持梁、４は昇降路１の底面に設置された巻上機である。
【０００３】
５は昇降路１の所定経路を昇降するかごからなる昇降体、６は昇降路１の他の所定経路を昇降するつり合おもり、７は支持梁３の上側に枢着されて水平投影面において巻上機４とつり合おもり６の間に配置された上側滑車、８は支持梁３の下側に配置されて水平投影面において巻上機４と昇降体５の間に配置された下側滑車、９は支持梁３の両側の側面にそれぞれ固定された側板、１０は一端に下側滑車８が係止されて他端は側板９と対面し、支持梁３の両側の側面にそれぞれ配置された一対の支持板である。
【０００４】
１１は側板９に支持板１０の上縁部を締結したボルトからなる締結具、１２は主索で、一端が支持梁３に連結されて下降し昇降体５下部の滑車に巻掛けられて上昇し、下側滑車８に巻掛けられて下降して巻上機４の駆動綱車に巻掛けられて上昇し、上側滑車７に巻掛けられて下降してつり合おもり６の滑車に巻掛けられて上昇して他端は支持梁３に連結されている。なお、図１２における１３は支持梁３の上縁部における水平線である。
【０００５】
従来のエレベーターの主索吊設装置は上記のように構成され、昇降体５、つり合おもり６に係合された主索１２が、上側滑車７、下側滑車８、巻上機４に巻掛けられ、両端がそれぞれ支持梁３に連結されて吊設される。そして、巻上機４が付勢されると駆動綱車が回転し、主索１２が駆動されて昇降体５、つり合おもり６が互いに反対方向に昇降するようになっている。
【０００６】
【発明が解決しようとする課題】
上記のような従来のエレベーターの主索吊設装置では、支持板１０が締結具１１によって支持梁３の側板９に締結されることにより、下側滑車８が支持梁３に枢持される。このため、主索１２を介して下側滑車８に作用する荷重が締結具１１に剪断力として作用するので、所要の支持強度を得るために締結具１１の数を増す、例えば六本〜八本に増す必要があった。したがって、締結具１１を配置するために広いスペースを要し、また側板９、支持板１０に対するボルト穴等の締結具１１用の加工、また据付時における締結作業に煩雑な手数が掛かるという問題点があった。
【０００７】
また、支持梁３は据付現場において固定体２の上面に固定されるが、このときに支持梁３が横断面において図１２に示すように水平線１３に対して角度θだけ傾いて設置されたすると、滑車８の主索溝も図１２に示すように鉛直線に対して角度θだけ傾いて設置される。このときには、滑車８の主索溝に対する主索１２の進入角度が大きくなって、主索１２の損耗が促進されたり、騒音発生の原因になったりするという問題点があった。
【０００８】
この発明は、かかる問題点を解消するためになされたものであり、主索が巻掛けられた滑車を支持梁に対して容易に所定位置に装着することができるエレベーターの主索吊設装置を得ることを目的とする。
【０００９】
【課題を解決するための手段】
この発明に係るエレベーターの主索吊設装置においては、エレベーターの昇降路内に設けられた支持梁と、この支持梁の下側に配置されてエレベーターの主索が巻掛けられる滑車と、下端に滑車が係止されて上端部は支持梁側面と対面して配置された支持板と、この支持板の上端の支持梁側面との対向面に突設された掛止片と、支持梁側面に接続して上向きに形成されて掛止片の下面に対向して配置された掛止面とが設けられて、滑車に主索を介して作用する上下方向荷重が支持板、掛止片及び掛止面を介して支持梁によって支持される。
【００１０】
また、この発明に係るエレベーターの主索吊設装置においては、エレベーターの昇降路内に設けられた支持梁と、この支持梁の下側に配置されてエレベーターの主索が巻掛けられる滑車と、下端に滑車が係止されて上端部は一側の支持梁側面と対面して配置され、かつ上端部に支持梁側面と対面して配置された第一の掛止片が固定された第一の支持板と、上端が他側の支持梁側面に固定されて下端部は支持梁の下面より下方に配置された下垂側板と、下端に滑車が係止されて上端部は下垂側板の支持梁側面との対向面と対面して配置され、かつ上端部に下垂側板面と対面して配置された第二の掛止片が固定された第二の支持板と、一側の支持梁側面に接続して上向きに形成されて第一の掛止片の下面と対向して配置された第一の掛止面と、他側の支持梁側面に接続する下垂側板面に接続して上向きに形成されて第二の掛止片の下面と対向して配置された第二の掛止面とが設けられて、滑車に主索を介して作用する上下方向荷重が第一の支持板、第二の支持板、第一の掛止片、第二の掛止片、第一の掛止面及び第二の掛止面を介して支持梁によって支持される。
【００１１】
また、この発明に係るエレベーターの主索吊設装置においては、第一の掛止片の下面が支持梁の長手の一端から他端へ上昇する斜面によって形成され、第一の掛止面が第一の掛止片の斜面に対応して形成されると共に、第二の掛止片の下面が支持梁の長手の一端から他端へ下降する斜面によって形成され、第二の掛止面が第二の掛止片の斜面に対応して形成される。
【００１２】
また、この発明に係るエレベーターの主索吊設装置においては、第一の掛止面を形成し長手が第一の支持板幅端部から突出して突出部を形成した第一の突設片と、第二の掛止面を形成し長手が第二の支持板幅端部から突出して突出部を形成した第二の突設片とが設けられる。また、長手が第一の支持板幅端部から突出して突出部を形成した第一の掛止片及び長手が第二の支持板幅端部から突出して突出部を形成した第二の掛止片が設けられる。
【００１３】
【発明の実施の形態】
実施の形態１．
図１〜図４は、この発明の実施の形態の一例を示す図で、図１は前述の図１１におけるＢ部を拡大して示す相当図、図２は図１の左側面図、図３は図２における支持板等を分離して示す図、図４は図３における支持梁箇所の斜視図である。なお、図１〜図４の他は前述の図１１及び図１２と同様にエレベーターの主索吊設装置が構成されている。
【００１４】
図において、３は固定体２の相互間に設けられて長手が昇降路１の上端寄りに水平に配置された支持梁で、両側面にそれぞれ配置されて溶接された側板１４によって支持梁側面１５が形成されている。８は支持梁３の下側に配置された滑車、１６は滑車８の一側に対面して配置された第一の支持板で、下端に滑車８の軸の一方の端部が係止されて上端部は一方の支持梁側面１５と対面して配置されている。
【００１５】
１７は第一の掛止片で、第一の支持板１６の上端における一方の支持梁側面１５との対向面に固定されて突設されると共に、長手に第一の支持板１６の幅に対して突出部１８を形成して装備されている。１９は第一の掛止面で、一方の支持梁側面１５に固定された第一の突設片２０の上面によって構成されて、一方の支持梁側面１５に接続して上向きに形成されて第一の掛止片１７の下面に対向して配置され、また第一の突設片２０は長手において第一の支持板１６の幅に対して突出部２１を形成して装備されている。
【００１６】
２２は例えばＭ１０サイズの二本のボルトからなる第一の締結具で、第一の支持板１６及び第一の掛止片１７に挿通されて一方の支持梁側面１５にねじ込まれ、第一の支持板１６の上縁部に互いに離れて配置されている。２３は下垂側板で、上端が反第一の支持板１６側の支持梁側面１５、すなわち他方の支持梁側面１５に固定されて下端部は支持梁３の下面よりも下方に配置されている。
【００１７】
２４は滑車８の他側に対面して配置された第二の支持板で、下端に滑車８の軸の他方の端部が係止されて上端部は下垂側板２３の下縁部と対面して配置されている。２５は第二の掛止片で、第二の支持板２４の上端の下垂側板２３との対向面に固定されて突設されると共に、長手に第二の支持板２４の幅に対して突出部２６を形成して装備されている。
【００１８】
２７は第二の掛止面で、下垂側板２３面に固定された第二の突設片２８の上面によって構成されて、下垂側板２３面を介して他方の支持梁側面１５に接続して上向きに形成されて第二の掛止片２５の下面に対向して配置され、また第二の突設片２８は長手において第二の支持板２４の幅に対して突出部２９を形成して装備されている。
【００１９】
３０は例えばＭ１０サイズの二本のボルトからなる第二の締結具で、第二の支持板２４及び第二の掛止片２５に挿通されて下垂側板２３にねじ込まれ、第二の支持板２４の上縁部に互いに離れて配置されている。３１は他方の支持梁側面１５に対向した昇降路１の壁である。
【００２０】
上記のように構成されたエレベーターの主索吊設装置において、前述の図１１及び図１２に示すエレベーターと同様に滑車８を介して昇降体５、つり合おもり６に係合された主索１２が吊設される。そして、第一の突設片２０、第二の突設片２８の上面によって構成されて、支持梁側面１５に接続して上向きに形成された第一の掛止面１９、第二の掛止面２７が設けられる。
【００２１】
また、第一の掛止面１９、第二の掛止面２７は、第一の支持板１６、第二の支持板２４に設けられた第一の掛止片１７、第二の掛止片２５の下面に対向して配置される。このような構成によって、第一の掛止面１９、第二の掛止面２７に第一の掛止片１７、第二の掛止片２５の下面が支持されることによって滑車８に作用する上下方向荷重が第一の支持板１６、第二の支持板２４を介して支持梁３によって支持される。
【００２２】
したがって、締結具２２、締結具３０に滑車８に作用する上下方向荷重が剪断力として作用することはなく、締結具２２、締結具３０の本数を少なくし、またサイズを小さくすることができる。このため、支持梁３に対する滑車８の装着箇所における所要スペースを節減し、締結具１１用の加工が減少し、また据付時における締結作業を簡易化することができ、主索１２が巻掛けられる滑車８を支持梁８に対して容易に所定位置に装着することができる。
【００２３】
また、支持梁３の長手に対して同側に配置された第一の支持板１６及び上下方向の長さが第一の支持板１６とは異にし下垂側板２３に対向した第二の支持板２４を介して滑車８が支持される。このため、反壁３１側からの作業によって滑車８を装着することができるので、壁３１と支持梁３の間隔が狭い場合においても滑車８の装着作業を容易化することができる。
【００２４】
また例えば、第一の掛止片１７に突出部１８が、また第一の突設片２０に突出部２１が設けられている。これにより、滑車８の装着作業時に突出部１８と突出部２１の相互の隙間の有無によって、第一の掛止面１９による第一の掛止片１７の下面の支持状況を容易に確認することができる。これにより、滑車８を確実に支持梁３に装着することができる。
【００２５】
実施の形態２．
図５は、この発明の他の実施の形態の一例を示す図で、前述の２相当図である。図において、図２と同符号は相当部分を示し、１６は支持板で、支持梁３の両側面にそれぞれ配置されている。１９は側板１４の上端面によって形成された掛止面で、支持梁側面１５に接続して上向きに形成されて掛止片１７の下面に対向して配置されている。２２は例えばＭ１０サイズの二本のボルトからなる締結具で、支持板１６に挿通されて支持梁側面１５にねじ込まれ、支持板１６の上縁部に互いに離れて配置されている。
【００２６】
上記のように構成されたエレベーターの主索吊設装置においても、側板１４の上端面によって形成された掛止面１９に、支持板１６に固定された掛止片１７の下面が支持される。これによって滑車８に作用する上下方向荷重が支持板１６を介して支持梁３によって支持される。
【００２７】
したがって、詳細な説明を省略するが図５の実施の形態においても、滑車８に作用する上下方向荷重が締結具２２に剪断力として作用することはなく、締結具２２の本数を少なくし、またサイズを小さくすることができる。これによって、支持梁３に対する滑車８の装着箇所における所要スペースを節減し、締結具１１用の加工が減少し、また据付時における締結作業を簡易化することができ、主索１２が巻掛けられる滑車８を支持梁８に対して容易に所定位置に装着することができる。
【００２８】
実施の形態３．
図６〜図１０も、この発明の他の実施の形態の一例を示す図で、図６は前述の図１相当図、図７は図６の左側面図、図８は図６における支持梁側の構成を示す図、図９は図８の斜視図、図１０は図６における滑車側の構成を示す図である。なお、図６〜図１０の他は前述の図１１及び図１２と同様にエレベーターの主索吊設装置が構成されている。
【００２９】
図において、図１〜図４と同符号は相当部分を示し、３２は第一の掛止片であり、第一の支持板１６の一方の支持梁側面１５との対向面に固定されて突設されると共に、長手に第一の支持板１６の幅に対して突出部３３を形成して装備され、下面に図６において左端から右端へ向かって上昇する斜面３４が形成されている。
【００３０】
３５は第一の掛止面で、一方の支持梁側面１５に固定された第一の突設片３６の上面によって構成されて、支持梁側面１５に接続して上向きに形成されて第一の掛止片３２の斜面３４に対向して配置され、かつ斜面３４に対応する形状に配置され、また第一の突設片３６は長手に第一の支持板１６の幅に対して突出部３７を形成して装備されている。
【００３１】
３８は第二の掛止片で、第二の支持板２４の下垂側板２３との対向面に固定されて突設されると共に、長手に第二の支持板２４の幅に対して突出部３９を形成して装備され、下面に図６において左端から右端へ向かって下降する斜面４０が形成されている。
【００３２】
４１は第二の掛止面で、下垂側板２３面に固定された第二の突設片４２の上面によって構成されて、下垂側板２３面を介して他方の支持梁側面１５に接続して上向きに形成されて第二の掛止片３８の斜面４０に対向して配置され、かつ斜面４０に対応する形状に配置され、また第二の突設片４２は長手に第二の支持板２４の幅に対して突出部４３を形成して装備されている。
【００３３】
４４は第一の支持板１６及び第一の掛止片３２に設けられた長穴で、長手が水平方向に配置され、第一の支持板１６の上縁部に互いに離れて配置されて第一の締結具２２が挿通される。４５は第二の支持板２４及び第二の掛止片３８に設けられた長穴で、長手が水平方向に配置され、第二の支持板２４の上縁部に互いに離れて配置されて第二の締結具３０が挿通される。
【００３４】
上記のように構成されたエレベーターの主索吊設装置において、第一の突設片３６、第二の突設片４２の上面によって構成されて、支持梁側面１５に接続して上向きに形成された第一の掛止面３５、第二の掛止面４１が設けられる。そして、第一の掛止片３２、第二の掛止片３８の下面が第一の掛止面３５、第二の掛止面４１に支持されることによって滑車８に主索を介して作用する上下方向荷重が第一の支持板１６、第二の支持板２４を介して支持梁３によって支持される。
【００３５】
したがって、詳細な説明を省略するが図６〜図１０の実施の形態においても図１〜図５の実施の形態と同様な作用が得られる。
また、第一の掛止片３２の下面の斜面３４は、第一の突設片３６の上面からなる第一の掛止面３５に支持され、また第二の掛止片３８の下面の斜面４０は、第二の突設片４２の上面からなる第二の掛止面４１に支持される。
【００３６】
この構成によって、第一の支持板１６及び第二の支持板２４に装着された滑車８を、長穴４４、長穴４５を介して図６において矢印Ｃ方向に移動すると、第一の支持板１６は図７に示す矢印Ｄ方向へ移動、すなわち上昇し、第二の支持板２４は図７に示す矢印Ｅ方向へ移動、すなわち下降する。
【００３７】
これによって、前述の図１２に示すように支持梁３が横断面において水平線１３に対して角度θだけ傾いて設置された場合に、第一の掛止片３２の斜面３４、第二の掛止片３８の斜面、４０長穴４４、長穴４５による構成により、第一の支持板１６及び第二の支持板２４の上下方向位置を変位して支持梁３の傾きに対して滑車８の姿勢を正常に据付けることができる。
【００３８】
したがって、滑車８が鉛直線に対して傾いて設置されることによって、主索１２の損耗が促進されたり、騒音発生の原因になったりする不具合を未然に防止することができる。なお、滑車８の姿勢が正常に設定された状態で締結具２２、締結具３０が締め込まれて第一の支持板１６及び第二の支持板２４が支持梁３に対して固定される。
【００３９】
なお、第一の掛止片３２の斜面３４等の傾斜を例えば２０：１に設定した場合に、第一の支持板１６及び第二の支持板２４に装着された滑車８を、図６において矢印Ｃ方向へ２０mm移動すると、第一の支持板１６は１mm上昇し、第二の支持板２４は１mm下降する。このようにして、据付けられた支持梁３の傾きに対して滑車８を正常な姿勢に据付けることができる。
【００４０】
【発明の効果】
この発明は以上説明したように、エレベーターの昇降路内に設けられた支持梁と、この支持梁の下側に配置されてエレベーターの主索が巻掛けられる滑車と、下端に滑車が係止されて上端部は支持梁側面と対面して配置された支持板と、この支持板の上端の支持梁側面との対向面に突設された掛止片と、支持梁側面に接続して上向きに形成されて掛止片の下面に対向して配置された掛止面とを設けて、滑車に作用する上下方向荷重を支持板、掛止片及び掛止面を介して支持梁によって支持したものである。
【００４１】
これによって、支持梁に形成された掛止面に、支持板に設けられた掛止片が掛止して滑車に作用する上下方向荷重が支持される。このため、支持梁に支持板を締結する締結具の本数を少なくし、またサイズを小さくすることができる。したがって、支持梁に対する滑車の装着箇所における所要スペースを節減し、締結具用の加工が減少し、また据付時における締結作業を簡易化することができ、主索が巻掛けられる滑車の支持梁への所定位置装着を容易化する効果がある。
【００４２】
また、この発明は以上説明したように、エレベーターの昇降路内に設けられた支持梁と、この支持梁の下側に配置されてエレベーターの主索が巻掛けられる滑車と、下端に滑車が係止されて上端部は一側の支持梁側面と対面して配置され、かつ上端部に支持梁側面と対面して配置された第一の掛止片が固定された第一の支持板と、上端が他側の支持梁側面に固定されて下端部は支持梁の下面よりも下方に配置された下垂側板と、下端に滑車が係止されて上端部は下垂側板の支持梁側面との対向面と対面して配置され、かつ上端部に下垂側板面と対面して配置された第二の掛止片が固定された第二の支持板と、一側の支持梁側面に接続して上向きに形成されて第一の掛止片の下面と対向して配置された第一の掛止面と、他側の支持梁側面に接続する下垂側板面に接続して上向きに形成されて第二の掛止片の下面と対向して配置された第二の掛止面とを設けて、滑車に作用する上下方向荷重を第一の支持板、第二の支持板、第一の掛止片、第二の掛止片、第一の掛止面及び第二の掛止面を介して支持梁によって支持したものである。
【００４３】
これによって、支持梁に形成された第一、第二掛止面に第一、第二支持板に設けられた第一、第二掛止片が掛止して滑車に作用する上下方向荷重が支持される。このため、支持梁に第一、第二支持板を締結する締結具の本数を少なくし、またサイズを小さくすることができる。したがって、支持梁に対する滑車の装着箇所における所要スペースを節減し、締結具用の加工が減少し、また据付時における締結作業を簡易化することができ、主索が巻掛けられる滑車の支持梁への所定位置装着を容易化する効果がある。
また、支持梁の一側の支持梁側面に第一の支持板が配置され、また他側の支持梁側面に設けられた下垂側板面に第一の支持板と同側から第二の支持板が配置される。このため、支持梁の側面に対して一側からの作業によって滑車を支持梁に装着することができ、昇降路の壁等の固定体に接近した位置に支持梁が配置された場合であっても滑車の装着作業を容易化する効果がある。
【００４４】
また、この発明は以上説明したように、第一の掛止片の下面が支持梁の長手の一端から他端へ上昇する斜面によって形成され、第一の掛止面が第一の掛止片の斜面に対応して形成されると共に、第二の掛止片の下面が支持梁の長手の一端から他端へ下降する斜面によって形成され、第二の掛止面が第二の掛止片の斜面に対応して形成される。
【００４５】
これによって、支持梁に形成された第一、第二掛止面に第一、第二支持板に設けられた第一、第二掛止片が掛止して滑車に作用する上下方向荷重が支持される。このため、支持梁に第一、第二支持板を締結する締結具の本数を少なくし、またサイズを小さくすることができる。したがって、支持梁に対する滑車の装着箇所における所要スペースを節減し、締結具用の加工が減少し、また据付時における締結作業を簡易化することができ、主索が巻掛けられる滑車の支持梁への所定位置装着を容易化する効果がある。
また、支持梁の一側の支持梁側面に第一の支持板が配置され、また他側の支持梁側面に設けられた下垂側板面に第一の支持板と同側から第二の支持板が配置される。このため、支持梁の側面に対して一側からの作業によって滑車を支持梁に装着することができ、昇降路の壁等の固定体に接近した位置に支持梁が配置された場合であっても滑車の装着作業を容易化する効果がある。
また、第一の掛止片と第一の掛止面に支持梁の長手の一端から他端へ上昇する斜面が設けられ、第二の掛止片と第二の掛止面に支持梁の長手の一端から他端へ下降する斜面が設けられる。これによって、滑車を支持梁の長手の一端から他端へ移動することにより、第一の支持板が上昇し、第二の支持板は下降するので、支持梁の横断面における傾きに対して滑車を容易に鉛直姿勢に装着することができる。このため、傾いて設置された滑車によって、主索の損耗が促進されたり、騒音発生の原因になったりする不具合を未然に防止する効果がある。
【００４６】
また、この発明は以上説明したように、第一の掛止面を形成し長手が第一の支持板幅端部から突出して突出部を形成した第一の突設片と、第二の掛止面を形成し長手が第二の支持板幅端部から突出して突出部を形成した第二の突設片とを設けたものである。また、長手が第一の支持板幅端部から突出して突出部を形成した第一の掛止片及び長手が第二の支持板幅端部から突出して突出部を形成した第二の掛止片を設けたものである。
【００４７】
これによって、支持梁に形成された掛止面に支持板に設けられた掛止片が掛止して滑車に作用する上下方向荷重が支持される。このため、支持梁に支持板を締結する締結具の本数を少なくし、またサイズを小さくすることができる。したがって、支持梁に対する滑車の装着箇所における所要スペースを節減し、締結具用の加工が減少し、また据付時における締結作業を簡易化することができ、主索が巻掛けられる滑車の支持梁への所定位置装着を容易化する効果がある。
また、掛止片、突設片等の長手に支持板幅から突出した突出部が設けられるので、滑車の装着作業時に掛止片、突設片の突出部の相互の隙間の有無を容易に判定することができる。そして、この隙間の有無により掛止面による掛止片の下面の支持状況を容易に確認することができ、滑車の装着作業を能率化する効果がある。
【図面の簡単な説明】
【図１】  この発明の実施の形態１を示す図で、後述する図１１におけるＢ部を拡大して示す相当図。
【図２】  図１の左側面図。
【図３】  図２における支持板等を分離して示す図。
【図４】  図３における支持梁箇所の斜視図。
【図５】  この発明の実施の形態２を示す図で、前述の２相当図。
【図６】  この発明の実施の形態３を示す図で、前述の図１相当図。
【図７】  図６の左側面図。
【図８】  図６における支持梁側の構成を示す図。
【図９】  図８の斜視図。
【図１０】  図６における滑車側の構成を示す図。
【図１１】  従来のエレベーターの主索吊設装置を示す図で、エレベーターを概念的に示す立面図。
【図１２】  図１１のＡ−Ａ線断面拡大図。
【符号の説明】
１  昇降路、３  支持梁、８  下側滑車、１２  主索、１５  支持梁側面、  １６  第一の支持板、１７  第一の掛止片、１８  突出部、１９  第一の掛止面、２０  第一の突設片、２１  突出部、２３  下垂側板、２４  第二の支持板、２５  第二の掛止片、２６  突出部、２７  第二の掛止面、２８  第二の突設片、２９  突出部、３２  第一の掛止片、３４  斜面、３５  第一の掛止面、３６  第一の突設片、３８  第二の掛止片、４０  斜面、４１  第二の掛止片、４２  第二の突設片。
【図１】
0004422289.tif 000002
【図２】
0004422289.tif 000003
【図３】
0004422289.tif 000004
【図４】
0004422289.tif 000005
【図５】
0004422289.tif 000006
【図６】
0004422289.tif 000007
【図７】
0004422289.tif 000008
【図８】
0004422289.tif 000009
【図９】
0004422289.tif 000010
【図１０】
0004422289.tif 000011
【図１１】
0004422289.tif 000012
【図１２】
0004422289.tif 000013